(57)【特許請求の範囲】
【請求項１】
ＩＰネットワークに接続された複数の端末と、前記複数の端末の少なくとも一つと前記ＩＰネットワークとを中継するゲートウェイ装置と、前記ゲートウェイ装置に接続されている端末の発呼要求に基づいて発呼要求先の端末を呼出する呼制御サーバとを備えたネットワーク電話システムにおいて、
前記複数の端末のうち前記ゲートウェイ装置から前記呼制御サーバを介することなく呼出すことが可能な端末に割り当てられるＩＰアドレスと電話番号とが対応して登録されるメモリを備え、
前記ゲートウェイ装置本体に接続されている端末からの発呼要求の際に出力される電話番号が前記メモリに登録されているときには、前記メモリから対応するＩＰアドレスを抽出し、前記ＩＰアドレスに基づいて発呼要求先の端末を前記呼制御サーバを介することなく呼出し、
前記メモリに登録されていないときには、前記ＩＰネットワークを通じて前記呼制御サーバを介して発呼要求先の端末を呼出することを特徴とするネットワーク電話システム。
【請求項２】
前記ゲートウェイ装置が、要求先の端末を呼出す際に、前記呼制御サーバを介して呼びだす場合と、前記呼制御サーバを介しないで呼出す場合とで異なるプロトコルを用いることを特徴とする請求項１記載のネットワーク電話システム。
【請求項３】
ゲートウェイ装置本体に接続されている端末からの発呼要求の際に出力される電話番号が前記メモリに登録されているときには、該メモリから対応するＩＰアドレスを抽出し、該ＩＰアドレスに基づいて発呼要求先の端末を呼出し、前記メモリに登録されていないときには、前記ＩＰネットワークを通じて前記サーバを通じて発呼要求先の端末を呼出することを特徴とする請求項１又は２記載のネットワーク電話システム。
【請求項４】
前記ゲートウェイ装置本体に接続されている端末と、前記発呼要求先の端末とが前記ＩＰネットワークを介して接続された後に、これらの端末間で、前記メモリから抽出したＩＰアドレス又は前記サーバから取得したＩＰアドレスを用いて通信を行うことを特徴とする請求項１から３のいずれか１項記載のネットワーク電話システム。
【請求項５】
前記ゲートウェイ装置本体に接続されている端末は複数であり、前記ゲートウェイ装置と該複数の端末とを、アクセスネットワーク装置を介して接続することを特徴とする請求項１から４のいずれか１項記載のネットワーク電話システム。
【請求項６】
請求項１から５のいずれか１項記載のネットワーク電話システムの使用方法であって、
前記ゲートウェイ装置に新たに端末を接続するときに、新たに接続する端末の電話番号とＩＰアドレスとを前記メモリに登録し、前記メモリに登録したＩＰアドレスに基づいて、前記新たに接続した端末と前記ＩＰネットワークに既に接続されている複数の端末のいずれかとの間で通信を行うことを特徴とするネットワーク電話システムの使用方法。
【請求項７】
請求項１から５のいずれか１項記載のネットワーク電話システムに用いることを特徴とするゲートウェイ装置。
【発明の詳細な説明】
【０００１】
【発明の属する技術分野】
本発明は、ネットワーク電話システム、それに用いるゲートウェイ装置及びネットワーク電話システムの使用方法に関し、特に、インターネット電話システムなどのネットワーク電話システム、それに用いるゲートウェイ装置及びネットワーク電話システムの使用方法に関する。
【０００２】
【従来の技術】
従来、ネットワーク電話システムには、たとえばインターネット網を使って通話するインターネット電話システムがある。このシステムでは、パソコンとパソコンと、パソコンと電話機と、電話機と電話機との３タイプの利用がされている。
【０００３】
パソコンとパソコンとを接続した場合には、各パソコンに電話機をつなぐかあるいは通話機能を備えて、パソコンで音声データのデジタル符号化とパケット化を行う。そして、音声パケットをインターネットで相手側のパソコンへ送信する。
【０００４】
また、パソコンと電話機とを接続した場合には、パソコンからは上記のように、音声データをデジタル符号化、パケット化してから送信するが、電話機から音声データを送信する場合には、電話機とインターネットとの間にゲートウェイ装置などを接続して、利用者が電話網を使って電話機とゲートウェイ装置などとをダイヤル接続し、音声データをゲートウェイ装置へ出力する。ゲートウェイ装置などでは、音声データをデジタル符号化、パケット化してからインターネットでパソコンに音声データを送信している。
【０００５】
さらに、電話機と電話機とを接続した場合には、上記と同様に、各電話機とインターネットとの間にゲートウェイ装置などを接続して、ゲートウェイ装置などで、音声データのデジタル符号化、パケット化を行ってからインターネットで相手側の電話機に音声データを送信している。
【０００６】
ここで、ゲートウェイ装置を用いるときに、多くの場合には、インターネット網に、相手側の端末に割り当てられたＩＰアドレスと電話番号とが対応して登録され、ゲートウェイ装置に接続されている端末の発呼要求に基づいて発呼要求先の端末を呼出する呼制御サーバを接続し、ゲートウェイ装置は、ゲートウェイ装置本体に接続されている端末からの発呼要求時に呼制御サーバを通じて相手側の端末を呼出していた。
【０００７】
【発明が解決しようとする課題】
しかし、端末またはゲートウェイ装置の中には、プロトコル上、呼制御サーバとの接続が必要なものがある。たとえばＭＧＣＰ（Media Gateway Control Protocol）というプロトコルがそれに該当する。このような場合には、その端末またはゲートウェイ装置と呼制御サーバとの間で呼制御パケットの授受を行い、呼制御サーバを通じてその端末またはゲートウェイ装置が発呼要求を行う。つまり、ＩＰネットワーク上に呼制御サーバがないと、その端末またはゲートウェイ装置は発呼要求を行うことができない。
【０００８】
また、一般に、ゲートウェイ装置に新たに端末を接続する場合には、新たに接続した端末と既に接続されている他の端末との導通の有無を確認するという作業を行うが、この作業の際には、ゲートウェイ装置から呼制御サーバにアクセスする必要はなく、また呼制御サーバに負荷をかけないようにしたり、呼制御サーバにおける制御の確実性の維持の観点からは、むしろアクセスしない方が望ましい。
【０００９】
そこで、本発明は、呼制御サーバにアクセスせずに、通話が行えるネットワーク電話システムを提供することを課題とする。
【００１０】
【課題を解決するための手段】
上記課題を解決するために、本発明は、ＩＰネットワークに接続された複数の端末と、前記複数の端末の少なくとも一つと前記ＩＰネットワークとを中継するゲートウェイ装置と、前記ゲートウェイ装置に接続されている端末の発呼要求に基づいて発呼要求先の端末を呼出する呼制御サーバとを備えたネットワーク電話システムにおいて、前記ゲートウェイ装置は、前記複数の端末に割り当てられているＩＰアドレスと電話番号とが対応して登録されるメモリを備え、前記ゲートウェイ装置に接続されている端末の発呼要求の際に該端末から出力される発呼要求先の端末の電話番号に対応して前記メモリに登録されているＩＰアドレスを取得し、取得したＩＰアドレスに基づいて発呼要求先の端末を呼出することを特徴とする。
また、本発明は、ＩＰネットワークに接続された複数の端末と、前記複数の端末の少なくとも一つと前記ＩＰネットワークとを中継するゲートウェイ装置と、前記ゲートウェイ装置に接続されている端末の発呼要求に基づいて発呼要求先の端末を呼出する呼制御サーバとを備えたネットワーク電話システムにおいて、前記複数の端末のうち前記ゲートウェイ装置から前記呼制御サーバを介することなく呼出すことが可能な端末に割り当てられるＩＰアドレスと電話番号とが対応して登録されるメモリを備え、前記ゲートウェイ装置本体に接続されている端末からの発呼要求の際に出力される電話番号が前記メモリに登録されているときには、前記メモリから対応するＩＰアドレスを抽出し、前記ＩＰアドレスに基づいて発呼要求先の端末を前記呼制御サーバを介することなく呼出し、前記メモリに登録されていないときには、前記ＩＰネットワークを通じて前記呼制御サーバを介して発呼要求先の端末を呼出することを特徴とする。
【００１１】
また、本発明は、上記ネットワーク電話システムの使用方法であって、前記ゲートウェイ装置に新たに端末を接続するときに、新たに接続する端末の電話番号とＩＰアドレスとを前記メモリに登録し、前記メモリに登録したＩＰアドレスに基づいて、前記新たに接続した端末と前記ＩＰネットワークに既に接続されている複数の端末のいずれかとの間で通信を行うことを特徴とする。
【００１２】
さらに、本発明のゲートウェイ装置は、上記ネットワーク電話システムに用いることを特徴とする。
【００１３】
【発明の実施の形態】
以下、本発明の実施形態について図面を参照して説明する。
【００１４】
（実施形態１）
「構成の説明」
図１は、本発明の実施形態１のネットワーク電話システムの模式的な構成を示すブロック図である。図１には、ＩＰ（Internet Protocol）ネットワーク７に、直接接続したＩＰ端末９と、アクセスネットワーク装置５及びアクセスゲートウェイ装置６を介して接続した利用者端末１〜４と、アクセスネットワーク装置１５及びアクセスゲートウェイ装置１６を介して接続した利用者端末１１〜１３と、利用者端末１〜４，１１〜１３と利用者端末１１〜１３，１〜４又はＩＰ端末９との呼出などの呼制御を行う呼制御サーバ８とを示している。
【００１５】
なお、後述するように、利用者端末１〜４，１１〜１３の各利用者によって選択された特定の端末との接続動作は、アクセスゲートウェイ装置６，１６によって制御される。
【００１６】
利用者端末１〜４，１１〜１３の各々は、具体的には、電話機、ファクシミリ、パソコンなどであり、それぞれダイヤルパルスのアナログ回線やＩＳＤＮ回線のインターフェースを有しており、ＩＰネットワーク７を介して利用者端末１１〜１３，１〜４又はＩＰ端末９との間で音声データの送受信を行う端末である。利用者端末１〜４，１１〜１３の各々は、発呼要求時に際して、アクセスゲートウェイ装置６，１６及び発呼要求先の端末の電話番号をダイヤルすることで、発呼要求先の端末と接続される。
【００１７】
アクセスネットワーク装置５，１５は、利用者端末１〜４，１１〜１３とアクセスゲートウェイ装置６，１６との間を接続するものであり、利用者端末１〜４，１１〜１３との間の接続線を集線している。
【００１８】
アクセスゲートウェイ装置６，１６は、主として、利用者端末１〜４，１１〜１３からの音声データを符号化、パケット化してＩＰネットワーク７へ送信したり、ＩＰネットワーク７を介して接続先の端末から送信されたパケット化されている音声データをデパケット化、復号化するものである。
【００１９】
呼制御サーバ８は、予めＩＰネットワーク７に接続されている各端末１〜４，９，１１〜１３の電話番号と各端末１〜４，９，１１〜１３のＩＰアドレスとが対応されて登録されているテーブルメモリ等を備えており、アクセスゲートウェイ装置６，１６からのパケット化された呼制御データに基づいてテーブルメモリ等から所要のＩＰアドレスを抽出して、パケット化してアクセスゲートウェイ装置６，１６へ返信したり、送信された電話番号に基づいて発呼要求先の端末を呼出するものである。
【００２０】
なお、アクセスゲートウェイ装置６，１６と呼制御サーバ８との間では、たとえばＭＧＣＰ（Media Gateway Control Protocol）というプロトコルに基づいてパケット化されている呼制御データの送受信を行うようにしている。なお、ここでは、呼制御サーバ８にコールエイジェント（Call Agent）を使用している。
【００２１】
また、ＩＰネットワーク７は、ＩＰに基づくネットワークであればよく、インターネット網、イントラネット、ＡＴＭ（Asynchronous Transfer Mod）網、ＬＡＮ（Local Area Network）、ＷＡＮ（Wide Area Network）などをいう。
【００２２】
さらに、ＩＰ端末９は、電話機をつなぐかあるいは通話機能を備え、音声データのデジタル符号化、パケット化を行えるパソコンなどである。
【００２３】
図２は、図１のアクセスゲートウェイ装置６の模式的な内部構成を示すブロック図である。図２には、利用者端末１〜４側から送信されたＴＤＭ（Time Division Multiplexing）データのレイヤ１の終端を行うレイヤ１終端部５０と、ＴＤＭデータの中から制御データ及び音声データを抽出するレイヤ２抽出部５１と、レイヤ１抽出部５１で抽出された制御データを終端するレイヤ２終端部５４と、制御データのダイヤルパルスやＳＥＴＵＰメッセージなどに基づいて発呼要求先の端末の電話番号を検出するためのレイヤ３監視部５５と、検出された発呼要求先の端末の電話番号を用いた呼制御データを生成したり呼制御サーバ８から返信された発呼要求先のＩＰアドレスが格納されている呼制御データからＩＰアドレスを抽出したり呼制御サーバ８に備えられているテーブルメモリに相当する特番対応表１０１（図３）を備えて特定の端末のＩＰアドレスを抽出する呼制御処理部５６と、入力した呼制御データ及び入力したＩＰアドレスを音声データとともにパケット化するパケット化処理部５３と、パケット化された音声データや呼制御データ（ＩＰパケット）をＩＰネットワーク７上へ送信するパケット送信部５７と、ＩＰネットワーク７を通じて送信又は返信されたＩＰパケットを受信するパケット受信部５９と、受信されたＩＰパケットをデパケット化するデパケット化処理部５８とを示している。
【００２４】
なお、利用者端末１〜４が、ＩＳＤＮ回線のインターフェースを有している場合には、レイヤ２にはＬＡＰＤ、レイヤ３にはＱ．９３１が該当し、また、アクセスネットワーク装置５とアクセスゲートウェイ装置６との間にＶ５インターフェースを用いる場合には、レイヤ２にはＬＡＰＶ５、レイヤ３にはＶ５．１又はＶ５．２が該当する。
【００２５】
図３は、図２の呼制御処理部５６の模式的な内部構成を示すブロック図である。図３には、レイヤ３監視部５５から出力された発呼要求先の端末の電話番号を用いた呼制御データを生成したり発呼要求先の電話番号に基づいてメモリである特番対応表１０１を参照して特定の端末のＩＰアドレスを抽出する電話番号解析部１００と、呼制御サーバ８から返信されたＩＰアドレスに格納されている発呼要求先の端末のＩＰアドレスを抽出するＩＰアドレス抽出部１０３と、呼制御サーバ８から返信されたＩＰアドレス又は特番対応表から抽出したＩＰアドレスをパケット化処理部５３へ出力するゲートウェイ制御部１０２とを示している。
【００２６】
なお、特番対応表１０１に登録しておくＩＰアドレスは、主として、呼制御サーバとの間で呼制御プロトコルが異なる端末のものであるが、これに限定されず、各利用者端末１〜４の利用者や、アクセスゲートウェイ装置６の管理者が自由に登録してもよい。
【００２７】
ちなみに、アクセスゲートウェイ装置１６の内部構成及びアクセスゲートウェイ装置１６内の呼制御処理部の内部構成も、それぞれ図２及び図３と同様としている。
【００２８】
「動作の説明」
以下、アクセスゲートウェイ装置６の特番対応表１０１に、ＩＰ端末９のＩＰアドレスが格納されているけれども、利用者端末１１のＩＰアドレスは格納されていないときに、利用者端末１からＩＰ端末９又は利用者端末１１に対して電話をかける場合を例に、本実施形態のネットワーク電話システムの動作について説明する。ちなみに、ここでは利用者端末１からＩＰ端末９に対して発呼要求を行う場合には呼制御サーバ８を使用せず、利用端末１から利用端末１１に対して発呼要求を行う場合には呼制御サーバ８を使用するようにしている。
【００２９】
最初に、利用者端末１からＩＰ端末９に対して発呼要求を行う場合の動作について説明する。まず、利用者端末１は、アクセスネットワーク装置５を経由して、アクセスゲートウェイ装置６に電話をする。そして、ＩＰ端末９の電話番号をダイヤルする。すると、利用者端末１からアクセスゲートウェイ装置６に対して、ＩＰ端末９の電話番号や、ＩＰに従った種々のデータがアクセスネットワーク装置５を経由して出力される。
【００３０】
アクセスゲートウェイ装置６では、レイヤ１終端部５０、レイヤ２抽出部５１、レイヤ２終端部５４及びレイヤ３監視部５５によって、種々のデータを終端、抽出等することによって、利用者端末１でダイヤルされたＩＰ端末９の電話番号を抽出する。
【００３１】
抽出されたＩＰ端末９の電話番号は、呼制御処理部５６の電話番号解析部１００へ出力される。電話番号解析部１００は、出力された電話番号に基づいて特番対応表１０１を参照する。ここで、特番対応表１０１には、ＩＰ端末９のＩＰアドレスが格納されているので、電話番号解析部１００では、ＩＰ端末９のＩＰアドレスを取得することができる。取得したＩＰアドレスは、ゲートウェイ制御部１０２に出力され、パケット化処理部５３へ出力される。
【００３２】
パケット化処理部５３は、出力されたＩＰアドレスをパケット化して、パケット送信部５７へ出力する。パケット送信部５７は、出力されたＩＰパケットをＩＰネットワーク７上へ送信する。こうして、利用者端末１の発呼要求に対して、アクセスゲートウェイ装置６が、ＩＰ端末９を呼出する。ＩＰネットワーク７においては、ＩＰパケットはＩＰアドレスによりルーティングされ、ＩＰ端末９に到達する。それから、ＩＰ端末９側で、この呼出に応答すると、ＩＰネットワーク７を介して、利用者端末１とＩＰ端末９とが接続される。
【００３３】
それから、利用者端末１からの音声データは、アクセスゲートウェイ装置６の音声データ処理部５２によって符号化され、パケット化処理部５３でパケット化され、ＩＰ端末９のＩＰアドレスが附記された後に、ＩＰネットワーク７を介してＩＰ端末９宛に送信される。一方、ＩＰ端末９からの音声データは、ＩＰ端末９内で符号化、パケット化され、アクセスゲートウェイ装置６による呼出時に取得した利用者端末１のＩＰアドレスが付されて、ＩＰネットワーク７を介して利用者端末１宛に送信される。
【００３４】
具体的には、ＩＰ端末９からＩＰネットワーク７上に送信されたＩＰパケットは、ＩＰネットワーク７においてＩＰアドレスによりルーティングされ、利用者端末１が接続されているアクセスゲートウェイ装置６のパケット受信部５９によって受信され、デパケット化処理部５８でデパケット化された後に、復号化され、アクセスネットワーク装置５を経由して、利用者端末１へ出力される。その後、通話が終了して、たとえば利用者端末１側で電話を切ると、アクセスネットワーク装置５を経由して、アクセスゲートウェイ装置６に対して、切断信号が出力される。アクセスゲートウェイ装置６は、切断信号に応じて接続している呼を切断する。
【００３５】
つぎに、利用者端末１から利用者端末１１に対して発呼要求を行う場合の動作について説明する。まず、利用者端末１は、アクセスネットワーク装置５を経由して、アクセスゲートウェイ装置６に電話をする。そして、利用者端末１１の電話番号をダイヤルする。すると、利用者端末１からアクセスゲートウェイ装置６に対して、利用者端末１１の電話番号や、ＩＰに従った種々のデータがアクセスネットワーク装置５を経由して出力される。
【００３６】
アクセスゲートウェイ装置６では、レイヤ１終端部５０、レイヤ２抽出部５１、レイヤ２終端部５４及びレイヤ３監視部５５によって、種々のデータを終端、抽出等することによって、利用者端末１からダイヤルされた利用者端末１１の電話番号を抽出する。
【００３７】
抽出された利用者端末１１の電話番号は、呼制御処理部５６の電話番号解析部１００へ出力される。電話番号解析部１００は、出力された電話番号に基づいて特番対応表１０１を参照する。ここで、特番対応表１０１には、利用者端末１１のＩＰアドレスが格納されていないので、電話番号解析部１００では、ＩＰ端末９のＩＰアドレスを取得することができない。
【００３８】
そこで、電話番号解析部１００は、呼制御サーバ８から利用者端末１１のＩＰアドレスを抽出するため及び利用者端末１１を呼出するために、利用者端末１１の電話番号が格納された呼制御データを生成して、パケット化処理部５３へ出力する。パケット化処理部５３は、出力された呼制御データをパケット化して、呼制御サーバ８のＩＰアドレスを付してパケット送信部５７へ出力する。パケット送信部５７は、出力されたＩＰパケットをＩＰネットワーク７へ送信する。
【００３９】
すると、このＩＰパケットは呼制御サーバ８で受信され、呼制御サーバ８では、ＩＰパケットに格納されている利用者端末１１の電話番号に基づいて、テーブルメモリを参照して、利用者端末１１のＩＰアドレスを抽出する。そして、このＩＰアドレスに基づいて、利用者端末１１を呼出する。
【００４０】
そして、利用者端末１１が呼出に応じると、呼制御サーバ８は、アクセスゲートウェイ装置６に対して、通信を許可する旨の通知をパケット化して返信する。一方、利用者端末１１が呼出に応じなければ、アクセスゲートウェイ装置６に対して、通信が不可能である旨の通知をパケット化して返信する。この場合には、利用者端末１と利用者端末１１との間で通信を行えない。
【００４１】
また、アクセスゲートウェイ装置６に対する通信を許可する旨を通知には、抽出した利用者端末１１のＩＰアドレスが含まれており、アクセスゲートウェイ装置６では、パケット受信部５９によって、返信されたＩＰアドレスが格納されているＩＰパケットを受信し、デパケット化処理部５８でデパケット化した呼制御データを呼制御処理部５６へ出力する。
【００４２】
呼制御処理部５６は、ＩＰアドレス抽出部１０３によって、その呼制御データからＩＰアドレスを抽出して、ゲートウェイ制御部１０２を通じてパケット化処理部５３へ出力する。パケット化処理部５３は、出力されたＩＰアドレスをパケット化して、パケット送信部５７へ出力する。パケット送信部５７は、出力されたＩＰパケットをＩＰネットワーク７上へ送信する。
【００４３】
こうして、利用者端末１の発呼要求に対して、アクセスゲートウェイ装置６が、利用者端末１１を呼出する。それから、利用者端末１１側で、この呼出に応答すると、ＩＰネットワーク７を介して、利用者端末１と利用者端末１１とが接続される。なお、この後の動作は、利用者端末１とＩＰ端末９とが接続される場合と同様であるが、切断信号は呼制御サーバ８へ送信され、呼制御サーバ８によって接続している呼の切断が行われる。
【００４４】
（実施形態２）
図４は、本発明の実施形態２のネットワーク電話システムの模式的な構成を示すブロック図である。図４は、図１のネットワーク電話システムに、さらに、新たな利用者端末１４と、利用者端末１４の導通試験用の試験用ＩＰ端末１０とを加えたものである。したがって、アクセスゲートウェイ装置６の内部構成は、図２，図３と同様であるが、特番対応表１０１には、利用者端末１４及び試験用ＩＰ端末１０の電話番号及びＩＰアドレスを登録している。
【００４５】
そして、新たに利用者端末１４をアクセスネットワーク装置５などに接続する場合に、ＩＰネットワーク７に接続した試験用ＩＰ端末１０に対して音声データの送受信を正常に行うことが可能かどうかを試験する場合には、利用者端末１４から試験用ＩＰ端末１０を発呼したり、あるいは逆に試験用ＩＰ端末１０から利用者端末１４を発呼して、これらの間で通信が行えるかどうかを試験する。
【００４６】
その際、特番対応表１０１に登録している電話番号及びＩＰアドレスを用いて、呼出、音声データの通信を行う。このため、特に、利用者端末１４でバグなどに基づく通信障害が発生しても、その障害によって呼制御サーバ８が影響を受けず、したがって、呼制御サーバ８によって行われている他の通信制御が不能となるような事態が回避される。
【００４７】
以上、本発明の各実施形態では、アクセスゲートウェイ装置６等に特番対応表１０１及びそれに付随するゲートウェイ制御部１０２を設け、特番対応表１０１にＩＰ端末９や検査用ＩＰ端末１０のＩＰアドレス等を登録した場合を例に説明したが、アクセスゲートウェイ装置６に特番対応表１０１を設けるということは、換言すると、アクセスゲートウェイ装置６に呼制御サーバ８の機能の一部を追加したことと同義であり、その効果の一つには、呼制御サーバ８に負担軽減が挙げられる。
【００４８】
そのため、この効果を全うするためには、ＩＰ端末９に係るプロトコルに拘わらず、特番対応表１０１を、呼制御サーバ８でＩＰアドレスと電話番号とを登録するメモリなどと同程度の容量のものとして、ここに呼制御サーバ８で登録されているＩＰアドレス等の全てを登録し、一切呼制御サーバ８を用いずに、又はたとえば定期的に呼制御サーバ８に対する他のアクセスゲートウェイ装置１６等のアクセス状況を検出して、この検出結果に基づいて選択的に特番対応表１０１と呼制御サーバ８とを用いてＩＰアドレスを入手するようにしてもよい。
【００４９】
【発明の効果】
以上、説明したように、本発明は、ゲートウェイ装置に、各端末に割り当てられているＩＰアドレスと電話番号とが対応して登録されるメモリを備え、ゲートウェイ装置に接続されている端末の発呼要求の際に出力される発呼要求先の端末の電話番号に対応してメモリに登録されているＩＰアドレスを取得し、取得したＩＰアドレスに基づいて発呼要求先の端末を呼出するので、呼制御サーバにアクセスせずに通話が行えるようになり、そのため、呼制御サーバが存在していない、または呼制御サーバと通信できない、または呼制御サーバを関与させたくない場合など、呼制御サーバに負荷をかけないようにしたり、信頼性の高い導通試験を行うことができる。
【図面の簡単な説明】
【図１】本発明の実施形態１のネットワーク電話システムの模式的な構成を示すブロック図である。
【図２】図１のアクセスゲートウェイ装置の模式的な内部構成を示すブロック図である。
【図３】図２の呼制御処理部の模式的な内部構成を示すブロック図である。
【図４】本発明の実施形態２のネットワーク電話システムの模式的な構成を示すブロック図である。
【符号の説明】
１〜４，１１〜１４  利用者端末
５，１５  アクセスネットワーク装置
６，１６  アクセスゲートウェイ装置
７  ＩＰネットワーク
８  呼制御サーバ
９  ＩＰ端末
１０  試験用ＩＰ端末
【図１】
0003672186.tif 000002
【図２】
0003672186.tif 000003
【図３】
0003672186.tif 000004
【図４】
0003672186.tif 000005